(57)【要約】  本開示は、使い捨て粘着性基板、医療機器、および充電ステーションに関する。特に基板は医療機器に配置されるように構成することができ、それに対応して充電ステーションで充電することができる。この医療機器は、歯ぎしりのモニタおよび治療のために使用されてもよい。基板の外周輪郭は、医療機器に１つの独特な様式でのみ設置し得るように、基板の平面にある任意の２本の直交回転軸線に関して非回転対称である。【選択図】  図１ａ
2018526051.tif 000002
【特許請求の範囲】
【請求項１】
ＥＭＧ電極を有する医療機器に配置されるように構成された使い捨て粘着性基板であって、前記基板が、
前記基板を前記医療機器に取り付けるように構成された、前記基板の第１の面側の第１の粘着層と、
前記医療機器の使用者の皮膚に前記基板を取り付けるように構成された、前記基板の第２の反対側の面側の第２の粘着層と、
前記ＥＭＧ電極と前記医療機器の前記使用者の前記皮膚との間に電気的接続をもたらすように構成された導電性接触領域と
を備え、
前記基板の外周輪郭が前記基板の平面にある任意の２つの直交回転軸線に関して非回転対称である、使い捨て粘着性基板。
【請求項２】
前記基板の前記外周輪郭が、前記基板の前記平面にあるあらゆる直交回転軸線に関して非対称である、請求項１に記載の使い捨て粘着性基板。
【請求項３】
前記基板の前記外周輪郭がさらに、前記基板の前記平面に垂直な回転軸線に関して非対称である、請求項１または２に記載の使い捨て粘着性基板。
【請求項４】
少なくとも３つの前記導電性接触領域を含み、前記外周輪郭が、最も外側の前記接触領域同士の中心を結ぶ線に垂直な軸線に関して非軸対称である、請求項１〜３のいずれか一項に記載の使い捨て粘着性基板。
【請求項５】
一定の二等辺三角関係で互いに配置された少なくとも３つの前記導電性接触領域を含み、前記基板の前記外周輪郭が、最も外側の接触領域の中心を結ぶ線に対して垂直であるとともに中央の接触領域の中心を通る軸線に関して非軸対称である、請求項１〜４のいずれか一項に記載の使い捨て粘着性基板。
【請求項６】
前記基板の前記外周輪郭が、前記基板と前記医療機器が１対１の取付け関係を有するように、前記医療機器のスロット／溝と合致するように構成されている、請求項１〜５のいずれか一項に記載の使い捨て粘着性基板。
【請求項７】
前記基板の前記外周輪郭に、丸みを帯びた２つの切欠きをさらに含む、請求項１〜６のいずれか一項に記載の使い捨て粘着性基板。
【請求項８】
前記切欠きが、前記基板の前記外周輪郭に沿って非対称に配置されている、請求項７に記載の使い捨て粘着性基板。
【請求項９】
前記輪郭の前記切欠きが非対称なパルス波のような形状である、請求項７または８に記載の使い捨て粘着性基板。
【請求項１０】
前記切欠きの形状が、前記基板と前記医療機器が１対１の取付け関係を有するように、前記医療機器のスロット／溝と合致するように構成されている、請求項７〜９のいずれか一項に記載の使い捨て粘着性基板。
【請求項１１】
前記基板の前記外周輪郭が略Ｓ字形である、請求項１〜１０のいずれか一項に記載の使い捨て粘着性基板。
【請求項１２】
一定の三角関係で互いに配置された少なくとも３つの開口をさらに備える、請求項１〜１１のいずれか一項に記載の使い捨て粘着性基板。
【請求項１３】
前記接触領域の各々が、対応する開口を少なくとも部分的に取り囲んでいる、請求項１２に記載の使い捨て粘着性基板。
【請求項１４】
前記開口の位置および大きさが、前記医療機器の前記ＥＭＧ電極の位置および大きさと合致するように構成されている、請求項１２または１３に記載の使い捨て粘着性基板。
【請求項１５】
前記医療機器と前記使用者の前記皮膚との間に粘着性の結合を形成するように構成されており、前記ＥＭＧ電極と前記使用者の前記皮膚との間に導電性接続を形成するように構成されている、請求項１〜１４のいずれか一項に記載の使い捨て粘着性基板。
【請求項１６】
前記基板が可撓性および／または湾曲可能である、請求項１〜１５のいずれか一項に記載の使い捨て粘着性基板。
【発明の詳細な説明】
【技術分野】
【０００１】
本開示は、使い捨て粘着性基板、医療機器、および充電ステーションに関する。特に、基板は、医療機器に配置されるように構成することができ、それに対応して、充電ステーションにおいて、基板と共に、または基板なしで充電できる。この医療機器は、歯ぎしりのモニタおよび治療のために使用できる。
【背景技術】
【０００２】
モニタまたは身体に電気エネルギーを適用するための医療機器は、当技術分野で一般的に知られている。例えば筋肉は、例えば診断目的のために、筋収縮に関与する電気信号を測定することによってモニタすることができ、または例えば治療目的のために、電気信号を皮膚に印加することによって、筋肉を刺激することができる。このモニタおよび刺激は、電極によって提供することができ、皮膚との接触を確実にするために、電極に粘着性および導電性材料を設けることができる。電気伝導性粘着性固体ヒドロゲルおよび液体ゲルは、この電気的インターフェースを皮膚に設けることができる。電極製造業者にて、導電性材料を電極から除去することができないように当該材料を電極に適用して、再利用することが可能である。しかしながら、導電性材料を有する電極を患者に接触させた後、同じ導電性材料を有する同じ電極を異なる患者に適用することは、通常望ましくない。したがって、電極を再利用可能にするためには、電極および導電性材料は、導電性材料を適用および除去し、必要なときに新しい導電性材料を再適用できるように構成しなければならない。この操作は、典型的には純粋に手作業であり、家庭用の医療機器では、導電性材料を適用するのが患者である場合さえあり得る。使用者が適用する際に補助をするために、導電性材料は、使用直前に使用者が医療機器に適用する使い捨て粘着性基板（「ゲルパッド」とも呼ばれる）で、一部を構成することができる。医療機器が最適に機能するには、例えば電極に対して粘着性基板をまさに正しい位置に配置されることが最も重要である場合がある。
【発明の概要】
【０００３】
粘着性基板の外周輪郭、すなわち外側の形状、および導電性材料の配置は、基板が医療機器に適用しやすく、かつ導電性材料が電極の形状に合致するように形成するべきである。第１の態様における本開示は、好ましくは、ＥＭＧ電極などの電極を有する医療機器に配置されるように構成された使い捨て粘着性基板に関する。基板は、好ましくは、例えば基板を医療機器に取り付けるように構成される基板の第１の側に、少なくとも第１の粘着剤、例えば第１の粘着層を含む。基板は、好ましくは基板を医療機器の使用者の皮膚に取り付けるように構成される基板の反対側の第２の側に、少なくとも第２の粘着剤、例えば第２の粘着層を、さらに含み得る。基板は、導電性接触領域をさらに備えることができ、電極と、例えば医療機器の使用者の皮膚との間の電気的接続をもたらすように構成することができる。基板の外周輪郭は、基板の平面にある任意の２つの直交回転軸線に関して非回転対称であってもよい。
【０００４】
しかしながら、本発明者は、従来技術の基板が医療機器の特定の電極構成に適合し、基板をいかに適用するかについて使用者にガイダンスを与えたとしても、特に基板が二重粘着性である場合、すなわち基板の両面に粘着性を有する場合、使用者が誤った様式で基板を適用することも多く、その一方で、導電性材料は、典型的には、基板の一方の（粘着性）側面にのみ設けられ、その側面が使用者の皮膚に接触しなければならないことに気が付いた。このことにより、皮膚と電極との間の電気的接続を確実にする正しい形状で、導電性材料が配置されないことになり得る。問題は、少なくとも最初のうちは、医療機器が適切に機能する場合があるという点である。不適切に配置されていても、基板は皮膚と電極との間に（乏しい）電気的接続を確立して医療機器を「欺き」、結果として使用者は、基板が適切に配置されていると信じてしまう可能性があるためである。この解決策は、基板が特定の医療機器との１対１の対応を確実にする形状および／または構成を有することを確認することである。すなわち、基板は、医療機器に１つの独特な様式でのみ設置し得るように構成しなければならない。１つの解決策は、基板が非対称であることである。例えば、基板の外周輪郭が非対称であること、例えば基板（の中央／中心）を通る１つの軸線に関して非対称であり、かつ／または２つの軸線、例えば基板（の中央／中心）を通る直交軸線に関して非対称であることが挙げられる。一実施形態では、本開示の基板は、任意の回転軸線、例えば、基板の平面にある任意の回転軸線および／または基板の平面に垂直な回転軸線に関して非対称である。したがって、基板の外周輪郭は、基板の平面で横方向に裏返せないように構成してもよい。また、導電性接触領域の配置は、典型的には電極の位置に合致するように構成されるので、基板上の導電性接触領域の位置からの非対称性を得ることができる。
【０００５】
また、たとえ基板が非対称であっても、基板の外周輪郭が、医療機器の形状、すなわち、医療機器の電極アセンブリ、スロット、溝、トレース、凹部の形状などと合致し、その医療機器において導電性接触領域の導電性材料が正しい構成で医療機器の使用者の皮膚に面する１つの構成のみで基板を取り付けることができるように構成されている場合、有利であることがある。
【０００６】
本開示の別の態様は、電源と制御ユニットと処理ユニットとを収容するハウジングと、ハウジングの両側に湾曲可能に取り付けられた２つの翼部と、ＥＭＧ電極などの少なくとも３本の電極であって、ハウジングおよび各翼部に設置および分配されて、ハウジングおよび翼部にわたって実質的に平面に延びる電極とを備える個人の筋肉活動をモニタする医療機器に関する。例えば、中央に基準電極、外側に２つの信号電極がある。医療機器は、翼部が、１）個人の皮膚の局所的輪郭、２）個人の動き、ならびに／または個人の筋肉の屈曲および／もしくは外転に対し、可撓的にかつ／または弾性的に適合し得るように構成できる。医療機器は、好ましくは、ハウジングの表面の電極面において使い捨て粘着性基板を受け入れるように構成され、基板は、本明細書で開示されるような使い捨て粘着性基板が挙げられる。
【０００７】
本開示のさらに別の態様は、医療機器を１対１の対応で保持するような形状の凹部を有する上部カバーを備えるハウジングを備えるワイヤレスバッテリ駆動医療機器用の充電ステーションに関する。凹部の輪郭は、少なくとも部分的に丸みを帯びて、凹部が、丸みを帯びた医療機器、例えば本明細書で開示されるような医療機器に合致するように構成してもよい。
【０００８】
さらなる態様は、本明細書に開示されるような医療機器および充電ステーションを含むパーツキットに関し、当該パーツキットにおいて医療機器および充電ステーションは、医療機器が充電ステーションの凹部に合致するように構成される。
【図面の簡単な説明】
【０００９】
【図１】図１ａは、本開示の非対称な使い捨て粘着性基板の一実施形態の斜視図を示し、図１ｂは、図１ａの基板の正面図であり、図１ｃは、図１ａの基板の斜視図を示す。
【図２ａ】図１の基板を適用することができる、本開示の医療機器の一実施形態の底面斜視図を示す。
【図２ｂ】図２ａの医療機器の上面斜視図を示す。
【図２ｃ】図２ａの医療機器の上面図を示す。
【図３】図３ａは、２つの保護ホイルの間に挟まれている、図１の基板の斜視図を示し、図３ｂは、図３ａの基板およびホイルの斜視断面図である。
【図４】基板の平面にある２本の直交軸線に対して反転／回転させたときの、図１の基板を示す。
【図５】本開示の充電ステーションの一実施形態に配置される場合の、図２の医療機器の底部を示す。
【図６】基板の外周輪郭の２つの切欠きが強調表示されている、図１の基板を示す。
【図７ａ】医療機器を収容するための凹部を有する本開示の充電ステーションの一実施形態の斜視図を示す。
【図７ｂ】図２の医療機器が充電器に配置されており、図１の基板が医療機器の底部に適用されている、図７ａの充電ステーションの斜視図を示す。
【図７ｃ】上部カバーが取り外されている、図７ａの充電ステーションの斜視図を示す。
【図７ｄ】充電ステーションから医療機器を取り外すプロセスの間での、図７ａの充電ステーションおよび図２の医療機器の斜視図を示す。
【図８】図１の基板が適用されている、図２の医療機器の底部を示す。
【図９】電極ハウジングが可視である、図２の医療機器のハウジングの一部の斜視断面図を示す。
【図１０】ＩＲ通信ユニットが可視である、図２の医療機器を備えた図７ａの充電ステーションの斜視断面図を示す。
【図１１】医療機器の突出部が可視である、図２の医療機器の斜視図を示す。
【図１２ａ】図２の医療機器の背面から見た図である。
【図１２ｂ】可撓性翼部のヒンジ式の取付けを少なくとも部分的に示す、図２の医療機器の斜視断面図を示す。
【図１２ｃ】電極ハウジングを示す、図２の医療機器の斜視断面図を示す。
【図１２ｄ】図２の医療機器の背面からの断面図を示す。
【図１３ａ】図７ａの充電ステーションの凹部および回路基板の透視図を示す。
【図１３ｂ】回路基板と凹部の取付けを示す図１３ａに対応する。
【図１３ｃ】ワイヤレス充電用の誘導コイルのトレースを示す、図１３ａの凹部の拡大斜視図である。
【図１４】充電状態を示すライトチューブが可視である凹部における図２の医療機器を備えた図７ａの充電ステーションの斜視断面図を示す。
【発明を実施するための形態】
【００１０】
基板
上述のように、本開示の第１の態様は、使い捨て粘着性基板に関する。一実施形態では、基板は、ＥＭＧ電極を有する医療機器に配置されるように構成され、基板は、基板を医療機器に取り付けるように構成された、基板の第１の面側の第１の粘着層と、医療機器の使用者の皮膚に基板を取り付けるように構成された、基板の第２の反対側の面側の第２の粘着層と、およびＥＭＧ電極と医療機器の使用者の皮膚との間に電気的接続をもたらすように構成された導電性接触領域とを備え、基板の外周輪郭が基板の平面にある任意の２つの直交回転軸線に関して非回転対称である。一実施形態では、基板の外周輪郭は、基板の平面にあるあらゆる直交回転軸線に関して非対称である。基板は、例えば、導電性接触領域の延在する方向に沿って細長くてもよい。医療機器用の従来技術の基板は、国際公開第２０１４／００１５２０号パンフレットに開示されている。
【００１１】
基板は、好ましくは、本明細書に開示されるような医療機器と、医療機器の使用者の皮膚との間に粘着性の結合を形成するように構成される。基板は、好ましくは、ＥＭＧ電極と使用者の皮膚との間に導電性接続を形成するようにさらに構成される。基板は、好ましくは、可撓性および／または湾曲可能である。基板の厚さは、２ｍｍ未満、より好ましくは１ｍｍ未満であり得るが、電極接触領域の周りの限定された領域において、導電性材料は、基板の高さを約２ｍｍ、すなわち、基板の最大厚さを３ｍｍ未満、より好ましくは２．５ｍｍ未満、最も好ましくは２．２ｍｍ未満に増加させてもよい。
【００１２】
本開示の基板の一実施形態を図１ａ〜図１ｃ、図３ａ〜図３ｂ、図４および図６に示す。基板１は、実質的に平面であり、３つの導電性接触領域４を備え、医療機器に基板を取り付けるように構成された、第１の粘着面２と、皮膚に粘着性の接触をするように構成されて、医療機器と医療機器の使用者の皮膚との間に粘着性接触および導電性接触が確立される第２の粘着面３（第１の粘着面２と反対側）とを備える。図示された実施形態では、図１ｂで見て取れるが、基板１の導電性接触領域４は一列に配置されておらず、導電性接触領域４は、実際には、導電性接触領域４の中心が円弧に沿い、また二等辺三角形を形成するように配置されている。基板１の外周輪郭もまた、図６に可視化されている導電性接触領域の湾曲に実質的に沿う。基板１の外周輪郭はさらに、同様に図６に可視化されている２つの切欠き５、５’を含む。
【００１３】
図１に例示される基板の設計は、図４にさらに可視化されている。図４ａは図１ｂに対応する。図４ｂは、図４に示す（垂直方向の）Ｙ軸に対して反転させた図４ａの基板を示す。このような反転は、基板１の中心を通る基板１の面にある軸線の周りに１８０°回転させ、Ｙ軸に対して平行であるものに相応する。図４ｃは、図４に示す（水平方向の）Ｘ軸に対して反転させた図４ａの基板を示す。このような反転は、基板１の中心を通る基板１の面にある軸線の周りに１８０°回転させ、Ｘ軸に対して平行であるものに相応する。最後に、図４ｄは、Ｘ軸に対して反転された図４ｂの基板を示し、これはまたＹ軸に対して反転させた図４ｃの基板に相応する。図４ｄは、基板の平面に対して垂直な軸線の周りに図４ａの基板を１８０°回転させた結果でもある。
【００１４】
図５は、本開示の充電ステーション４１の一実施形態に配置された場合の、本開示の医療機器２１の一実施形態の底部を示す。医療機器２１は、図２にも示されている。医療機器２１は、３つの電極２３、２３’、３０および突出部２５、２５’を含み、電極の頂部において、および突出部間で使い捨て粘着性基板を受け入れるように構成されている。図４の基板１は、医療機器２１と合致するように構成される。図４は、図４ａ〜図４ｄの導電性接触領域４が医療機器２１の電極２３、２３’、３０の長手方向延長部に沿って配置されていることから、基板１を医療機器２１に適用する作業に直面するときに、医療機器２１の使用者が選択する基板１の４つの最も可能性がある向きを示す。図４および図５を比較すると、図１に示しているように基板１が配置される場合にのみ、図５の医療機器２１と合致するのは明白である。
・図４ｃについて、基板１の湾曲と切欠き５、５’および導電性接触領域４の配置により、図４ｃに示す基板の向きでは、医療機器２１に取り付けられないことが確実になる。
・図４ｄについて、基板１の湾曲と導電性接触領域４の配置により、図４ｄに示す基板の向きでは、医療機器２１に取り付けられないことが確実になる。
・図４ｂについて、基板１の切欠き５、５’により、図４ｂに示される基板の向きでは、医療機器２１に取り付けられないことが確実になる。
【００１５】
したがって、図４ｂの向きでは、基板１を医療機器に取り付けることを妨げるのは切欠き５、５’のみである。使用者が医療機器２１で基板１のこの図４ｂの形状を試した場合、突出部２５、２５’により、基板を医療機器に取り付けることが不可能になる。図面は例示のみであるが、使用者が医療機器の正しい動作を確実にするために医療機器に関し正しい向きおよび構成で基板を適用するのに寄与する、非対称的な外周輪郭を、使い捨て粘着性基板に設けることができることを示している。
【００１６】
一実施形態では、基板は、少なくとも３つの前記導電性接触領域を含み、ここで外周輪郭は、最も外側の接触領域同士の中心を結ぶ線に垂直な軸線に関して非軸対称である。
【００１７】
さらなる実施形態では、基板は、一定の二等辺三角関係で互いに配置された少なくとも３つの前記導電性接触領域を含み、ここで基板の外周輪郭は、最も外側の接触領域同士の中心を結ぶ線に対して垂直であるとともに中央の接触領域の中心を通る軸線に関して非軸対称である。
【００１８】
さらに別の実施形態では、基板では、基板の外周輪郭が基板の平面にある長軸に関して非軸対称であり、基板の平面にある長軸に垂直な軸線に関して非軸対称である。
【００１９】
基板は、医療機器の１つ以上のスロットおよび／または溝に合致するように、好ましくは基板および医療機器が１対１の取付け関係を有するように構成してもよい。スロット／溝との対応をもたらす１つの方法は、基板の外周輪郭に１つ、２つまたはそれより多い切欠きを設けることである。各切欠きは、例えば、図６に例示されるような非対称なパルス波のような形状にすることができる。各切欠きは、図面に例示しているように丸みを帯びていてもよい。さらに、切欠きは、基板の外周輪郭に沿って非対称に配置してもよい。考えられる１つの結果は、基板の外周輪郭が図面に見られるように略Ｓ字形である場合である。したがって、切欠きの形状は、基板と医療機器が１対１の取付け関係を有するように、医療機器のスロット／溝と合致するように構成してもよい。切欠き５、５’の例示的な形状は、図６に可視化している。ここで点線は、切欠き５、５’を有しない基板１の外周輪郭を示す。
【００２０】
さらなる実施形態では、基板は開口を含む。好ましくは、前記接触領域のそれぞれは、対応する開口を少なくとも部分的に取り囲み、前記開口の位置および大きさは、好ましくは、医療機器のＥＭＧ電極の位置および大きさに合致するように構成される。本開示の基板は、一定の三角関係で互いに配置されるなどの、一定の空間的関係で互いに配置された少なくとも３つのこのような開口を含むことができる。少なくとも３つの開口は、前記開口の中心が線上にないように配置してもよい。場合によっては、少なくとも３つの開口は、前記開口の中心が、６０〜２００ｍｍの半径を有する円弧である線上にあるように配置してもよい。別の実施形態では、開口の中心は、このように画定された三角形の最も長い辺が４０ｍｍ以下である三角形の配置で配置される。このような開口の配置は、図６に例示および可視化されており、点線で示した線は基板１の湾曲と開口の配置を示している。
【００２１】
本開示の基板は、図３ａ〜図３ｂに示すように、基板の各面側に配置された２層の取り外し可能な保護シートをさらに含むことができる。すなわち、基板１は、これらの保護シート９、９’の間に挟まれている。基板１は、これらのシート９、９’が粘着層２、３の粘着性を保護および保持するように保管されている。保護シート９、９’は、好ましくは、基板１を使用する前に除去されるように構成され、最初に１枚のシート９’を基板から取り除き、医療機器２１に取り付けられる基板１の粘着面２を露出させるように配置することができる。医療機器２１に取り付けた後、他方の保護シート９を基板１から取り除くことができる。
【００２２】
図３はまた、図３ｂの断面図で最もよく可視化されている導電性接触領域４の可能な構成を示す。これは、３つの導電性接触領域４が３つの開口を囲んでいるが、使用者の皮膚に取り付けられることになる基板１の側３のみ露出しており、その一方で、導電性接触領域４は、基板１の厚み全体に延びてはいないことを示している。
【００２３】
医療機器
前述のように、本開示の別の態様は、電源と制御ユニットと処理ユニットとを収容するハウジングと、ハウジングの両側に湾曲可能に取り付けられた２つの翼部と、ＥＭＧ電極などの少なくとも３本の電極であって、ハウジングおよび各翼部に設置および分配されて、ハウジングおよび翼部にわたって実質的に平面に延びる電極とを含む個人の筋肉活動をモニタする医療機器に関する。例えば歯ぎしりのモニタと治療用の例示的な医療機器およびＥＭＧ電極アセンブリは、ＰＣＴ出願国際公開第２００４／０８７２５８号パンフレット、国際公開第２００９／０３６７６９号パンフレット、国際公開第２００９／０３６７７０号パンフレットおよび国際公開第２０１０／０９９７９６号パンフレットに開示されている。これらの文献は、その全体が参照により本明細書に組み込まれる。
【００２４】
本開示の医療機器の例示的な実施形態が図面、特に図２、図５および図７〜図１３に示されている。それらにおいて、医療機器は実質的にマルハナバチのように見える。本開示の医療機器により、家庭用／私用のワイヤレスの一体型歯ぎしり用モニタおよび治療機器であって、夜間にも使用が容易で着用が快適でもある機器を実現することができる。上述したように、医療機器は、好ましくは、翼部が、１）個人の皮膚の局所的輪郭、２）個人の動き、ならびに／または個人の筋肉の屈曲および／もしくは外転に対し可撓的にかつ／または弾性的に適合し得るように構成される。翼部の可撓性は、輪郭が凹凸双方であり得る側頭領域の筋肉との良好な接触をもたらすのに役立つ。翼部の可撓性はさらに、例えば筋収縮の間、および一般的には使用者が動いているとき、使用者との接触を維持するのに役立つ。
【００２５】
したがって、本開示の医療機器は、２つの翼部が電極の平面で弾性的に曲がるように構成することができる。２つの翼部は、図１２に例示されるように、ハウジングにヒンジ式に取り付けられてもよい。ここで各翼部の上部電極側は、ハウジングのシェル内の細長い溝によって形成された細い接続部によって、ハウジングの上側に、湾曲可能なように取り付けられている。したがって、（電極と反対側の）各翼部の下側とハウジングとの間の接続は、ハウジングの対応する縁部を摺動するように構成された翼部の縁部によって形成できる。
【００２６】
本開示の医療機器は、好ましくは、「静止して」電極が電極面に実質的に配置されるように構成されているが、圧力／力を加えると、翼部はこの平面から弾性的に撓むことができる。しかしながら、医療機器は、好ましくは、２つの翼部の各々が電極面から所定の最大角度偏向を有するように構成される。所定の最大角度偏向は、±５°を超えてもよく、より好ましくは±１０°を超えてもよい。所定の最大角度偏向は、さらに好ましくは±３０°未満、さらにより好ましくは±２０°未満、最も好ましくは±１５°であってもよい。図１２ｂ、図１２ｃ、および図１２ｄに示すように、翼部２２、２２’は、カム面３４を有するハウジング２８の壁の最内面３８によって画定される軸線の周りを回転することができる。右翼部２２の場合、翼部２２の所定の最大角度偏向は、ハウジング２８の内壁３８に当接する境界面３５によって上方に画定することができる。境界面３５から内壁３８までの距離により、翼部２２を上方に湾曲できる量が決まる。下方への湾曲は、カム面３４によって制限される。すなわち、カム面３４と翼部２２の下面３３との間に形成される角度ギャップは、翼部２２の下向きの湾曲の最大角度を画定する。
【００２７】
非対称的な基板に関連して上述したように、いずれの非熟練者でも本開示の医療機器を利用でき正しく使用できることが非常に重要である。正しく使用するということは、使用者の皮膚に粘着性および導電性の接触をもたらすように、使用者が使い捨て粘着性基板を電極上に適用しなければならないことを意味し得る。基板と医療機器との間に１対１の対応が設けられている場合、基板が毎回正しく適用されることを確実にすることができる。この対応関係をもたらす１つの方法は、基板が独特な様式で適合する、ある種のパターンまたはトレースを医療機器にもたらすことである。これは、図面に例示しているように、図面の斜視での様子により医療機器２１の電極側に設けられた２つの突出部２５、２５’が強調されている図１１で最も顕著なように、電極面から延びる医療機器のハウジングの１つ以上の突出部によってもたらされてもよい。突出部の輪郭は、対応する非対称的な基板に合致させるために非対称にすることができる。突出部の最大高さは、対応する基板の厚さよりも少ないことが好ましい。例えば、突出部の最大高さは１ｍｍ未満であってもよい。
【００２８】
図面に例示されているように、電極面の突出部の輪郭は、非対称な波状として形成することができる。さらに、突出部は丸みを帯びていてもよく、好ましくは、突出部の輪郭と外周輪郭との両方が丸みを帯びていて、使用者にとって不快であり得る鋭い縁部を避けるようにする。また、図面に例示されているように、（少なくとも）２つの前記突出部は、機器の表面にスロットを形成するように配置してもよい。突出部は好ましくは非対称に配置される。
【００２９】
したがって、本開示の医療機器は、好ましくは、ハウジングの表面の電極面において使い捨て粘着性基板を受け入れるように構成され、ここで基板は、医療機器と個人の皮膚との間に粘着性の結合を形成するよう構成され、電極と使用者の皮膚との間に導電性接続を形成するよう構成されている。さらに、医療機器は、電極面におけるハウジングの表面において１対１の対応で使い捨て粘着性基板を受け入れるように構成してもよい。例えば、医療機器は、上述のスロットにおいて使い捨て粘着性基板を受け入れるように構成してもよい。
【００３０】
本開示の医療機器の好ましい実施形態では、ハウジングおよび翼部は、成形可能なプラスチックで少なくとも部分的に製造され、電極、および電極を制御ユニットに接続する端子は、ハウジングと翼部の成形プラスチックに入れるおよび／または埋め込まれる。この例が図９、図１２ｃ、および図１２ｄに示されており、電極端子３０’、３２および３２’がハウジングおよび翼部に埋め込まれている。
【００３１】
ワイヤを避ける１つの方法は、ワイヤレス充電をもたらすことである。したがって、好ましい実施形態では、本開示の医療機器は、電源がワイヤレスで充電され得るように構成されている。また、医療機器は、好ましくは、筋肉活動からの測定および／または処理された信号に対応するデータを記憶するように構成され、本明細書に開示された充電ステーションなどの端末とデータを交換するように構成される。
【００３２】
データ交換は、好ましくはワイヤレスで、例えば医療機器と端末／充電ステーションとの間の赤外線通信によってなされる。さらなる実施形態では、医療機器は、ハウジングに埋め込まれた２つの中空管と、ハウジングに設置された赤外線送信機と赤外線受信機とを備え、前記ＩＲユニットの各々は、ＩＲユニットからハウジングのシェルまで延在する前記中空管の１つの端部でハウジングに位置し、それによって前記２方向の赤外線通信は、前記中空管によりもたらされる。したがって、中空管は、ＩＲ光用の一種の導波管として機能する。これは、図１０に例示されて図示され、以下にさらに詳細に説明されている。
【００３３】
好ましい実施形態では、本開示の医療機器は、前記電極を介して電気信号を受信およびモニタし、かつ／または前記電極を介して前記個人に電気刺激を提供するように構成される。好ましくは、医療機器は、前記電極を介して電気信号を受信およびモニタするように構成され、ここで処理ユニットが前記歯ぎしりを検出するために受信信号を処理するように構成され、医療機器が歯ぎしりの前記検出に応答してフィードバック信号を生成するように構成され、フィードバックが前記電極を介して機器の使用者に提供される電気刺激の形態である。
【００３４】
歯ぎしりの検出は、２０１５年５月７日に出願され、「Ａｕｔｏｍａｔｉｃ  ｄｅｔｅｃｔｉｏｎ  ｏｆ  ｔｅｅｔｈ  ｃｌｅｎｃｈｉｎｇ  ａｎｄ／ｏｒ  ｔｅｅｔｈ  ｇｒｉｎｄｉｎｇ」と題する出願係属中の国際出願ＥＰ２０１５／０６００９１号明細書に開示されており、すぐに提供することができる。この出願は、参照によりその全体が本明細書に組み込まれる。
【００３５】
充電ステーション
前述したように、本開示の別の態様は、医療機器を１対１の対応で保持するような形状の凹部を有する上部カバーを備えるハウジングを備えるワイヤレスバッテリ駆動医療機器用の充電ステーションに関する。例示的な充電ステーションが図面、特に図５、図７、図１０、図１３および図１４に示されている。
【００３６】
また、図面に例示されるように、凹部の輪郭は、少なくとも部分的に丸みを帯びて、凹部が丸みを帯びた医療機器、例えば本明細書で開示される医療機器に合致するように構成してもよい。例えば、凹部の輪郭は、丸みを帯びた医療機器が凹部内に滑り込むことができるように、少なくとも部分的に丸みを帯びている。例えば、凹部の輪郭は、図１３に例示するように少なくとも部分的にボウル形であり、かつ／または少なくとも部分的に楕円形である。
【００３７】
好ましい実施形態では、本開示の充電ステーションは、医療機器が凹部に配置されているとき、医療機器の表面の所定の第１の領域を押し下げることによって医療機器が凹部から摺動させて取り出すことができるように構成される。したがって、充電ステーションは、医療機器が（巣の中のマルハナバチのように）充電器内にしっかりと配置され、医療機器が機器の所定の部分を押すことによって容易に取り出せるように構成することができる。これは、図７ｄの大きな黒い矢印で例示されている。さらに、充電ステーションは、図７ｂの大きな黒色の矢印によって例示されるように、医療機器が凹部に配置された場合に、医療機器の表面の所定の第２の領域を押し下げるときに、医療機器が凹部に固定されるように構成してもよい。この特徴は、使い捨て粘着性基板を医療機器に取り付ける際に利用することができる。凹部内のこの固定は、充電ステーションの上部カバーの突出部、凹部の少なくとも一部を覆い、延在し、かつ／または突出し得る突出部によってなされることができ、好ましくは医療機器を凹部に配置したとき、突出部が医療機器の少なくとも一部を覆うようにする。したがって、充電ステーションは、図７ｂの突出部４６によって例示されるように、医療機器の表面の第２の領域を押し下げるときに、医療機器の表面の反対側が突出部と係合して、医療機器が凹部に固定されるように構成してもよい。
【００３８】
また、図面に例示されるように、充電ステーションの凹部は、医療機器が凹部に配置されたときに、医療機器の上側がカバーの上側と実質的に同じ高さになるように構成してもよい。
【００３９】
対応する医療機器用の充電ステーションの凹部のさらなる利点は、凹部の周りに誘導コイルを配置する選択肢を提供し、機器を凹部に配置するときに医療機器のワイヤレス充電が可能となるようにすることである。したがって、充電ステーションのハウジングは、好ましくは、凹部を取り囲む誘導コイルをも備え、凹部に配置されたとき医療機器をワイヤレスで充電できるように構成されている。
【００４０】
本開示の充電ステーションは、医療機器とワイヤレスでデータを交換するようにさらに構成することができる。ハウジングの凹部によって、医療機器が常に適正に配置され、毎回正しい構成になるのを確実にすることができる。これは、ＩＲ通信が通常送信機と受信機との間に正しい見通し線を必要とするため、医療機器と充電ステーションとの間の相互データ交換で赤外線通信を使用するために利用することができる。
【００４１】
さらなる実施形態では、本開示の充電ステーションは、ハウジングに配置され、１）凹部に配置された医療機器のバッテリを充電する状態、および／または２）充電ステーションと凹部に配置されている医療機器との間のデータ交換の状態を示すように構成された、ＬＥＤなどの視覚信号伝達ユニットのアセンブリを備える。視覚信号伝達ユニットのアセンブリは、充電状態および／またはデータ交換状態を示すときに、上部カバー上および／または上部カバーを通して視認できるように構成することができる。これは図１４に例示されており、ここでＬＥＤ４８は充電ステーションの回路基板に配置されている。中空管４８’は上部カバー４９に通じているが、上部カバー４９の上面は切れ目がない。しかしながら、ＬＥＤ４８からの光は、ＬＥＤが可視信号伝達ユニットとして機能できるように上部カバーを透過することができる。
【００４２】
視覚信号伝達ユニットのアセンブリはさらに、信号伝達ユニットの所定期間の起動後および／または充電ステーションの所定期間の停止後に、信号伝達ユニットが実質的に不可視かつ／または停止するように構成することができる。医療機器を夜間の歯ぎしりのモニタおよび治療のために使用する場合、充電ステーションは寝室に当然配置してもよい。したがって、自動消灯機能があれば、充電ステーションは夜間に寝室を照らしはしない。充電ステーションは、容量性タッチ感応性領域などのタッチ感応性領域をさらに備え、これは上部カバーに配置され、視覚信号伝達ユニットのアセンブリが、タッチ感応性領域が起動される所定の時間、充電状態および／またはデータ交換状態を示すように構成できる。これは、信号伝達ユニットがオフになっても例えば充電状態になる要求をする選択肢を提供する。
【００４３】
さらなる実施形態では、本開示の充電ステーションのハウジングは、好ましくは支持面との滑り抵抗性接触をもたらすように構成された滑り止め付き底面を備える。すなわち、機器が充電ステーションに置かれているときは移動しない、医療機器に対する堅くて頑強な支持をもたらす。ハウジングは、好ましくは支持面に配置されたときに充電ステーションの安定性を高めるように構成された重量プレートをさらに備えていてもよい。
【００４４】
本開示の充電ステーションは、さらに、スマートフォン、パソコンなどのコンピューティングデバイスとデータを交換するように構成してもよい。コンピューティングデバイスとのデータ交換は、Ｂｌｕｅｔｏｏｔｈ（登録商標）通信などによるワイヤレスであってもよい。
【００４５】
例
本開示の医療機器２１の例が図２ａに示されている。図２ａは、機器２１の底面斜視図を示す。それは、すべての図面、特に図２ｂ、図２ｃ、図５、図７ｂ、図７ｄ、図８、図９、図１０、図１１、図１２ａ〜図１２ｄおよび図１４に示されているものと同じ例示的な医療機器であり、使用される番号はすべての図において一貫している。医療機器は、図２ｃの上面図に示すように、２つの翼部、すなわち右翼部２２および左翼部２２’を備える。これらはハウジング２８にヒンジ式に接続されている。中心のＥＭＧ電極３０および各翼部のＥＭＧ電極２３、２３’は、電極面２４からわずかに突出している合計３つのＥＭＧ電極を提供し、そこに使い捨て粘着性非対称基板１を適用することができる。
【００４６】
２つのプッシュボタン２７、２７’が、ハウジングの両端に設けられており、フロントボタン２７’およびバックボタン２７である。プッシュボタンの１つは、歯ぎしりの検出の際に使用者に提供される刺激レベルを増加させるために使用され、他方のプッシュボタンは、この刺激レベルを減少させるために使用される。これらは、機器自体で使用者が利用できる唯一の制御であり、これらは機器２１を制御するのに十分である。他の多くの機能は自動、例えば自動スタート−ストップ、バックグラウンド／ノイズレベルの自動調整、および刺激信号を提供するための歯ぎしりの閾値レベルの自動調整が挙げられる。追加の制御および入力設定は、スマートフォンなどのコンピューティングデバイスを介して提供および制御することができ、コンピューティングデバイスで動作する例えばＡｐｐといったソフトウェアによって、充電ステーション４１を介して機器２１と通信するように構成することができる。
【００４７】
医療機器２１のハウジング２８の底面は、電極面２４からわずかに突出しており、２つの突出部２５、２５’が電極面２４内に延びているので、図１の基板１のような輪郭を有する基板のみが、突出部２５、２５’の間に画定されたスロット／溝／トレース内の電極面２４に、適用することができる。
【００４８】
図１２ｃ〜図１２ｄは、医療機器２１の様々な正面断面図を示す。バッテリ２９は、ハウジング２８内に可視である。翼部２２、２２’は、ハウジング２８にヒンジ式に取り付けられている。各翼部２２、２２’の上部電極側は、ハウジング２８のシェル内の細長い溝３１、３１’によって形成された細い接続部によって、ハウジングの上側に湾曲可能に取り付けられている。ハウジング２８は、翼部２２、２２’の下方へ湾曲することを可能にする２つのカム面３４、３４’を有する。翼部２２、２２’の下面３３、３３’の境界面３６、３６’は、翼部２２、２２’が湾曲している間の接触点を構成する。翼部２２、２２’は、上下に湾曲することができ、例えば、右翼部２２が（図１２の医療機器２１の向きに対して）上方に曲げられ、２つの面３４、３６が互いに摺動するが、下方に突出した縁部３５は最終的に翼部２２が翼部２２の所定の湾曲角度でさらに上方に曲がるのを阻止する。縁部３５から内壁３８までの距離により、翼部２２を上方に湾曲できる量が決まる。
【００４９】
翼部２２の下方への湾曲は、カム面３４により制限される。すなわち、カム面３４と翼部２２の下面３３との間に形成される角度ギャップは、翼部２２の下方への湾曲の最大角度を規定する。翼部２２が下方に曲がったときに、カム面３４は最終的に翼部２２の内側下面３３に当接し、翼部２２がさらに下方に曲がるのを防止するからである。最大湾曲角度を決める同じ配置が、左翼部２２’についてもたらされる。図１２の例示的な医療機器２１では、翼部２２、２２’は、約１５°の上下方向、すなわち最大で計３０°の偏向で湾曲することが可能である。
【００５０】
本開示の充電ステーション４１の例が図７ａに示されている。図７ａは、機器４１の上面斜視図を示す。それは、図５、図７ａ〜図７ｄ、図１０、図１３ａ〜図１３ｃおよび図１４に少なくとも部分的に示されているものと同じ例示的な充電ステーションである。この特定の充電ステーション４１は、図示された医療機器２１に合致する（および充電する）ように構成される。充電ステーション４１は、上部カバー４２を有するハウジングを備え、上部カバー４２は、医療機器２１を１対１の対応で保持するように成形された凹部４４を有する。図面で見て取れるように、凹部４４の輪郭は、凹部４４が医療機器２１をハウジング２８の丸みを帯びた上面と合致した構成にするように少なくとも部分的に丸みを帯びている。図７ｂでは、医療機器２１が凹部（入れ子）に配置され、基板１が機器２１の電極表面に適用されている。大きな黒色の矢印は、矢印が指し示す領域で機器２１が下方に押されると、凹部４４の上にわずかに延びる突出部４６が、機器２１を凹部４４内に確実に固定することを示している。これは、機器２１が凹部４４に正確に配置されることを確保するための良好な方法であり、基板１を機器２１に取り付ける際に機器２１を凹部に固定する方法でもある。
【００５１】
図７ｄに示すように、機器の反対側を押すと、機器２１および凹部４４の丸みを帯びた表面は、同様に図７ｄに示されるように、凹部４４から機器が滑り出る。ハウジング内の凹部４４は、充電中の機器２１の見事な一体化をもたらすだけでなく、機器２１を凹部４４から単に摺動させることによって容易に取り外すようにする。
【００５２】
図７ｃは、上部カバー４２のない充電ステーション４１を示す。ここでは下部カバー４５が可視であり、また、凹部の輪郭／縁部４３と誘導コイル用のトレース３７とが可視で、こうして医療機器２１のワイヤレス充電がもたらされている。充電ステーション４１は、回路基板４６を示す図１３ａ〜図１３ｂにおいてさらに分解されている。凹部４４は、ねじ４７によって回路基板に直接取り付けられていることが分かる。誘導コイル（図示せず）用のトレース３７は、凹部（入れ子）４４のクローズアップを示す図１３ｃにて、より明確に見える。
【００５３】
図１４の断面図は、上部カバー４２の３本の中空管４８’を示し、回路基板４６上の３個のＬＥＤ４８は、上部カバー４２を介して、矢印４９で示す位置の近くにおいて可視である。
【００５４】
もう１つの断面図が図１０に示されており、ここでは機器２１が充電器４１内に配置されている。２つのＩＲ通信ユニット５１、５１’が充電ステーション４１に配置され、２つのＩＲ通信ユニット５４、５４’が機器２１内に配置され、計４つのＩＲユニットを提供する。図面に見られるように、ＩＲユニットがペアになって、互いに対向し、充電ステーション４１の送信機と機器２１の受信機との間、および充電ステーション４１の受信機と機器２１の送信機との間の見通し線を提供する。この見通し線は、中空管（ｔｕｂｅ／ｐｉｐｅ）５２、５２’、５３、５３’を介して視覚化される。
【００５５】
詳細−項目
これから、本発明を、以下の項目を参照してさらに詳細に説明する。
【００５６】
１．電源と制御ユニットと処理ユニットとを収容するハウジングと、
ハウジングの両側に湾曲可能に取り付けられた２つの翼部と、
ＥＭＧ電極などの少なくとも３本の電極であって、ハウジングおよび各翼部に設置および分配されて、ハウジングおよび翼部にわたって実質的に平面に延びる電極と
を備える個人の筋肉活動をモニタする医療機器。
【００５７】
２．翼部が、１）個人の皮膚の局所的輪郭、２）個人の動き、ならびに／または個人の筋肉の屈曲および／もしくは外転に対し可撓的にかつ／または弾性的に適合し得るように構成される、項目１に記載の医療機器。
【００５８】
３．２つの翼部が電極の平面において弾性的に湾曲可能であるように構成されている、項目１または２に記載の医療機器。
【００５９】
４．２つの翼部がハウジングにヒンジ式に取り付けられている、項目１〜３のいずれか一項に記載の医療機器。
【００６０】
５．各翼部の上部電極側が、ハウジングのシェル内の細長い溝によって形成された細い接続部によって、ハウジングの上側に、湾曲可能なように取り付けられ、前記細長い溝が、翼部の湾曲する軸線を形成する、項目１〜４のいずれか一項に記載の医療機器。
【００６１】
６．（電極と反対側の）各翼部の下側とハウジングとの間の接続が、ハウジングの対応する縁部を摺動するように構成された翼部の縁部によって形成される、項目１〜５のいずれか一項に記載の医療機器。
【００６２】
７．２つの翼部の各々が電極面から所定の最大角度偏向を有するように構成されている、項目１〜６のいずれか一項に記載の医療機器。
【００６３】
８．各翼部の所定の最大角度偏向が、各翼部の下面に向かうハウジングの縁部にわたる傾斜を画定するカム面によって少なくとも部分的に決まる、項目７に記載の医療機器。
【００６４】
９．所定の最大角度偏向が、各翼部の内側縁部に形成された１つ以上の突出部によって少なくとも部分的に決まり、前記突出部が、翼部の所定の角度偏向において、ハウジングの内側縁部に係合するように構成されている、項目７〜８のいずれか一項に記載の医療機器。
【００６５】
１０．最大角度偏向が±１０°より大きく、より好ましくは±１０°より大きくかつ／または±３０°未満で、さらにより好ましくは±２０°未満で、最も好ましくは約±１５°である、項目７〜９のいずれか一項に記載の医療機器。
【００６６】
１１．電極面から延在するハウジングの１つ以上の突出部をさらに備える、項目１〜１０のいずれか一項に記載の医療機器。
【００６７】
１２．電極面の前記突出部の輪郭が非対称な波状として形成されている、項目１１に記載の医療機器。
【００６８】
１３．前記突出部が丸みを帯びている、項目１１〜１２のいずれか一項に記載の医療機器。
【００６９】
１４．機器の表面にスロットを形成するように配置されている前記突出部の少なくとも２つを備える、項目１１〜１３のいずれか一項に記載の医療機器。
【００７０】
１５．機器の表面にスロットを形成するように非対称的に配置されている前記突出部の少なくとも２つを備える、項目１１〜１４のいずれか一項に記載の医療機器。
【００７１】
１６．ハウジングの表面の電極面において使い捨て粘着性基板を受け入れるように構成され、前記基板が、医療機器と個人の皮膚との間に粘着性の結合を形成するよう構成され、電極と使用者の皮膚との間に導電性接続を形成するよう構成される、項目１〜１５のいずれか一項に記載の医療機器。
【００７２】
１７．電極面のハウジングの表面において１対１の対応で使い捨て粘着性基板を受け入れるように構成された、項目１１〜１６のいずれか一項に記載の医療機器。
【００７３】
１８．前記スロットにおいて使い捨て粘着性基板を受け入れるように構成された、項目１４〜１７のいずれか一項に記載の医療機器。
【００７４】
１９．使い捨て粘着性基板が、項目１〜７７のいずれか一項に記載の基板である、項目１７〜１８のいずれか一項に記載の医療機器。
【００７５】
２０．ハウジングおよび翼部が、成形可能なプラスチックで少なくとも部分的に製造され、電極、および電極を制御ユニットに接続する端子が、ハウジングと翼部の成形プラスチックに入れるおよび／または埋め込まれる、項目１〜１９のいずれか一項に記載の医療機器。
【００７６】
２１．電源がワイヤレスで充電され得るように構成されている、項目１〜２０のいずれか一項に記載の医療機器。
【００７７】
２２．筋肉活動からの測定および／または処理された信号に対応するデータを記憶するように構成され、端末とデータを交換するように構成される、項目１〜２１のいずれか一項に記載の医療機器。
【００７８】
２３．前記データ交換がワイヤレスである、項目２２に記載の医療機器。
【００７９】
２４．前記データ交換が赤外線通信によって提供される、項目２２〜２３のいずれか一項に記載の医療機器。
【００８０】
２５．ハウジングに埋め込まれた２つの中空管と、ハウジングに設置された赤外線送信機と赤外線受信機とをさらに備え、前記ＩＲユニットの各々が、ＩＲユニットからハウジングのシェルまで延在する前記中空管の１つの端部でハウジングに位置し、それによって前記２方向の赤外線通信が前記中空管により提供される、項目２２〜２４のいずれか一項に記載の医療機器。
【００８１】
２６．ハウジングに埋め込まれた２つの中空管と、ハウジングに設置された赤外線送信機と赤外線受信機とをさらに備え、前記ＩＲユニットの各々が、ＩＲユニットからハウジングのシェルまで延在する前記中空管の１つの端部でハウジングに位置し、それによって前記２方向の赤外線通信が前記中空管により提供される、項目２２〜２５のいずれか一項に記載の医療機器。
【００８２】
２７．前記電極を介して電気信号を受信およびモニタし、かつ／または前記電極を介して前記個人に電気刺激を提供するように構成されている、項目１〜２６のいずれか一項に記載の医療機器。
【００８３】
２８．医療機器が前記電極を介して電気信号を受信およびモニタするように構成され、処理ユニットが前記歯ぎしりを検出するために受信信号を処理するように構成され、医療機器が歯ぎしりの前記検出に応答してフィードバック信号を生成するように構成され、フィードバックが前記電極を介して提供される電気刺激の形態である、項目１〜２７のいずれか一項に記載の医療機器。
【００８４】
２９．医療機器を１対１の対応で保持するような形状の凹部を有する上部カバーを備えるハウジングを備える、ワイヤレスのバッテリ駆動医療機器用の充電ステーション。
【００８５】
３０．凹部の輪郭が、凹部が丸みを帯びた医療機器に合致するように構成されるよう少なくとも部分的に丸みを帯びている、項目２９のいずれか一項に記載の充電ステーション。
【００８６】
３１．凹部の輪郭が、丸みを帯びた医療機器が凹部内に滑り込むことができるように、少なくとも部分的に丸みを帯びている、項目２９〜３０のいずれか一項に記載の充電ステーション。
【００８７】
３２．凹部の輪郭が、少なくとも部分的にボウル形であり、かつ／または少なくとも部分的に楕円形である、項目２９〜３１のいずれか一項に記載の充電ステーション。
【００８８】
３３．医療機器が凹部に配置されているとき、医療機器の表面の所定の第１の領域を押し下げることによって医療機器を凹部から摺動させて取り出すことができるように構成される、項目２９〜３２のいずれか一項に記載の充電ステーション。
【００８９】
３４．医療機器が凹部に配置されるとき、医療機器の表面の所定の第２の領域を押し下げるときに、凹部に医療機器が固定されるように構成されている、項目２９〜３３のいずれか一項に記載の充電ステーション。
【００９０】
３５．上部カバーが、凹部の少なくとも一部を覆う、延在する、かつ／または突出する突出部を含み、好ましくは医療機器を凹部に配置したとき、突出部が医療機器の少なくとも一部を覆うようにする、項目２９〜３４のいずれか一項に記載の充電ステーション。
【００９１】
３６．医療機器の表面の第２の領域を押し下げるときに、医療機器の表面の反対側が突出部と係合して、医療機器が凹部に固定されるように構成されている、項目３４〜３５のいずれか一項に記載の充電ステーション。
【００９２】
３７．凹部が、医療機器が凹部に配置されたときに、医療機器の上側がカバーの上側と実質的に同じ高さになるように構成されている、項目２９〜３６のいずれか一項に記載の充電ステーション。
【００９３】
３８．ハウジングが凹部を取り囲む誘導コイルをさらに備え、凹部に配置されたときに医療機器をワイヤレスで充電できるように構成されている、項目２９〜３７のいずれか一項に記載の充電ステーション。
【００９４】
３９．医療機器とワイヤレスでデータを交換するようにさらに構成された、項目２９〜３８のいずれか一項に記載の充電ステーション。
【００９５】
４０．前記データ交換が赤外線通信によって提供される、項目２９〜３９のいずれか一項に記載の充電ステーション。
【００９６】
４１．ハウジング内に配置され、１）凹部に配置された医療機器のバッテリを充電する状態、および／または２）充電ステーションと凹部に配置されている医療機器との間のデータ交換の状態を示すように構成された、ＬＥＤなどの視覚信号伝達ユニットのアセンブリをさらに備える、項目２９〜４０のいずれか一項に記載の充電ステーション。
【００９７】
４２．視覚信号伝達ユニットのアセンブリが、充電状態および／またはデータ交換状態を示すときに、上部カバー上および／または上部カバーを通して視認できるように構成されている、項目４１に記載の充電ステーション。
【００９８】
４３．視覚信号伝達ユニットのアセンブリが、信号伝達ユニットの所定期間の起動後および／または充電ステーションの所定期間の停止後に、信号伝達ユニットが実質的に不可視かつ／または停止するように構成されている、項目４１〜４２のいずれか一項に記載の充電ステーション。
【００９９】
４４．容量性タッチ感応性領域などのタッチ感応性領域をさらに備え、上部カバーに配置され、視覚信号伝達ユニットのアセンブリが、タッチ感応性領域が起動される所定の時間、充電状態および／またはデータ交換状態を示すように構成される、項目４１〜４３のいずれか一項に記載の充電ステーション。
【０１００】
４５．ハウジングが、（支持面に滑り抵抗性接触をもたらすように構成された）滑り止め付き底面を備える、項目２９〜４４のいずれか一項に記載の充電ステーション。
【０１０１】
４６．ハウジングが、支持面に配置されたときに充電ステーションの安定性を高めるように構成された重量プレートを備える、項目２９〜４５のいずれか一項に記載の充電ステーション。
【０１０２】
４７．スマートフォン、パソコンなどのコンピューティングデバイスとデータを交換するように構成された、項目２９〜４６のいずれか一項に記載の充電ステーション。
【０１０３】
４８．コンピューティングデバイスとのデータ交換がＢｌｕｅｔｏｏｔｈ（登録商標）通信などによるワイヤレスである、項目４７に記載の充電ステーション。
【０１０４】
４９．項目１〜２８のいずれか一項に記載の医療機器と、項目２９〜４８のいずれか一項に記載の充電ステーションとを備え、医療機器および充電ステーションは、医療機器が充電ステーションの凹部に合致するように構成される、パーツキット。
【０１０５】
５０．ＥＭＧ電極を有する医療機器に配置されるように構成される使い捨て粘着性基板であって、
基板を医療機器に取り付けるように構成された、基板の第１の面側の第１の粘着層と、
医療機器の使用者の皮膚に基板を取り付けるように構成された、基板の第２の反対側の面側の第２の粘着層と、
ＥＭＧ電極と医療機器の使用者の皮膚との間に電気的接続をもたらすように構成された導電性接触領域と
を備える、使い捨て粘着性基板。
【０１０６】
５１．基板の外周輪郭が、基板の平面で横方向に裏返せない形状である、項目１〜５０のいずれか一項に記載の使い捨て粘着性基板。
【０１０７】
５２．少なくとも３つの前記導電性接触領域を含み、ここで外周輪郭が、最も外側の接触領域同士の中心を結ぶ線に垂直な軸線に関して非軸対称である、項目１〜５１のいずれか一項に記載の使い捨て粘着性基板。
【０１０８】
５３．一定の二等辺三角関係で互いに配置された少なくとも３つの前記導電性接触領域を含み、ここで基板の外周輪郭が、最も外側の接触領域同士の中心を結ぶ線に対して垂直であるとともに中央の接触領域の中心を通る軸線に関して非軸対称である、項目１〜５２のいずれか一項に記載の使い捨て粘着性基板。
【０１０９】
５４．基板の外周輪郭が、基板の中心を通る軸線に沿って非対称である、項目１〜５３のいずれか一項に記載の使い捨て粘着性基板。
【０１１０】
５５．基板の外周輪郭が、基板の中心を通る２本の軸線、好ましくは直交軸線に関して非対称である、項目１〜５４のいずれか一項に記載の使い捨て粘着性基板。
【０１１１】
５６．基板の外周輪郭が、基板の平面にある任意の回転軸線などの任意の回転軸線に関して非対称である、項目１〜５５のいずれか一項に記載の使い捨て粘着性基板。
【０１１２】
５７．基板の外周輪郭が、基板の平面に垂直な回転軸線に関して非対称である、項目１〜５６のいずれか一項に記載の使い捨て粘着性基板。
【０１１３】
５８．前記基板の前記外周輪郭が、前記基板と前記医療機器が１対１の取付け関係を有するように、医療機器のスロット／溝と合致するように構成される、項目１〜５７のいずれか一項に記載の使い捨て粘着性基板。
【０１１４】
５９．基板の外周輪郭に２つの切欠きをさらに含む、項目１〜５８のいずれか一項に記載の使い捨て粘着性基板。
【０１１５】
６０．基板の外周輪郭に少なくとも２つの切欠きをさらに備え、各切欠きが非対称なパルス波のような形状である、項目１〜５９のいずれか一項に記載の使い捨て粘着性基板。
【０１１６】
６１．各切欠きが丸みを帯びている、項目５９〜６０のいずれか一項に記載の使い捨て粘着性基板。
【０１１７】
６２．切欠きが基板の外周輪郭に沿って非対称に配置されている、項目５９〜６１のいずれか一項に記載の使い捨て粘着性基板。
【０１１８】
６３．切欠きの形状が、基板と医療機器が１対１の取付け関係を有するように、医療機器のスロット／溝と合致するように構成される、項目５９〜６２のいずれか一項に記載の使い捨て粘着性基板。
【０１１９】
６４．基板の外周輪郭が、基板の平面にある長軸に関して非軸対称であり、基板の平面にある長軸に垂直な軸線に関して非軸対称である、項目１〜６３のいずれか一項に記載の使い捨て粘着性基板。
【０１２０】
６５．基板の外周輪郭が略Ｓ字形である、項目１〜６４のいずれか一項に記載の使い捨て粘着性基板。
【０１２１】
６６．開口をさらに含む、項目１〜６５のいずれか一項に記載の使い捨て粘着性基板。
【０１２２】
６７．一定の空間的関係で互いに配置された少なくとも３つの開口をさらに備える、項目１〜６６のいずれか一項に記載の使い捨て粘着性基板。
【０１２３】
６８．一定の三角関係で互いに配置された少なくとも３つの開口をさらに備える、項目１〜６７のいずれか一項に記載の使い捨て粘着性基板。
【０１２４】
６９．前記開口の中心が線上にないように配置された少なくとも３つの開口をさらに備える、項目１〜６８のいずれか一項に記載の使い捨て粘着性基板。
【０１２５】
７０．前記開口の中心が、６０〜２００ｍｍの半径を有する円弧である線上にあるように配置された少なくとも３つの開口をさらに備える、項目１〜６９のいずれか一項に記載の使い捨て粘着性基板。
【０１２６】
７１．前記接触領域の各々が、対応する開口を少なくとも部分的に取り囲む、項目６６〜７０のいずれか一項に記載の使い捨て粘着性基板。
【０１２７】
７２．開口の中心が、このように画定された三角形の最も長い辺が４０ｍｍ以下である三角形の配置で配置される、項目６６〜７１のいずれか一項に記載の使い捨て粘着性基板。
【０１２８】
７３．前記開口の位置および大きさが、医療機器のＥＭＧ電極の位置および大きさと合致するように構成されている、項目６６〜７２のいずれか一項に記載の使い捨て粘着性基板。
【０１２９】
７４．医療機器と使用者の皮膚との間に粘着性の結合を形成するように構成された、項目１〜７３のいずれか一項に記載の使い捨て粘着性基板。
【０１３０】
７５．ＥＭＧ電極と使用者の皮膚との間に導電性接続を形成するように構成された、項目１〜７４のいずれか一項に記載の使い捨て粘着性基板。
【０１３１】
７６．基板が可撓性および／または湾曲可能である、項目１〜７５のいずれか一項に記載の使い捨て粘着性基板。
【０１３２】
７７．基板の各面側に配置された２層の取り外し可能な保護シートをさらに含む、項目１〜７６のいずれか一項に記載の使い捨て粘着性基板。
【図１ａ】
2018526051.tif 000003
【図１ｂ】
2018526051.tif 000004
【図１ｃ】
2018526051.tif 000005
【図２ａ】
2018526051.tif 000006
【図２ｂ】
2018526051.tif 000007
【図２ｃ】
2018526051.tif 000008
【図３ａ】
2018526051.tif 000009
【図３ｂ】
2018526051.tif 000010
【図４】
2018526051.tif 000011
【図５】
2018526051.tif 000012
【図６】
2018526051.tif 000013
【図７ａ】
2018526051.tif 000014
【図７ｂ】
2018526051.tif 000015
【図７ｃ】
2018526051.tif 000016
【図７ｄ】
2018526051.tif 000017
【図８】
2018526051.tif 000018
【図９】
2018526051.tif 000019
【図１０】
2018526051.tif 000020
【図１１】
2018526051.tif 000021
【図１２ａ】
2018526051.tif 000022
【図１２ｂ】
2018526051.tif 000023
【図１２ｃ】
2018526051.tif 000024
【図１２ｄ】
2018526051.tif 000025
【図１３ａ】
2018526051.tif 000026
【図１３ｂ】
2018526051.tif 000027
【図１３ｃ】
2018526051.tif 000028
【図１４】
2018526051.tif 000029
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
ＥＭＧ電極を有する医療機器に配置されるように構成された使い捨て粘着性基板であって、前記基板が、
前記基板を前記医療機器に取り付けるように構成された、前記基板の第１の面側の第１の粘着層と、
前記医療機器の使用者の皮膚に前記基板を取り付けるように構成された、前記基板の第２の反対側の面側の第２の粘着層と、
前記ＥＭＧ電極と前記医療機器の前記使用者の前記皮膚との間に電気的接続をもたらすように構成された導電性接触領域と
を備え、
前記基板の外周輪郭が、前記基板の平面にあるとともに前記基板の中心を通る任意の２つの直交回転軸線に関して非回転対称である、使い捨て粘着性基板。
【請求項２】
前記基板の前記外周輪郭が、前記基板の前記平面にあるあらゆる直交回転軸線に関して非対称である、請求項１に記載の使い捨て粘着性基板。
【請求項３】
前記基板の前記外周輪郭がさらに、前記基板の前記平面に垂直な回転軸線に関して非対称である、請求項１または２に記載の使い捨て粘着性基板。
【請求項４】
少なくとも３つの前記導電性接触領域を含み、前記外周輪郭が、最も外側の前記接触領域同士の中心を結ぶ線に垂直な軸線に関して非軸対称である、請求項１〜３のいずれか一項に記載の使い捨て粘着性基板。
【請求項５】
一定の二等辺三角関係で互いに配置された少なくとも３つの前記導電性接触領域を含み、前記基板の前記外周輪郭が、最も外側の接触領域の中心を結ぶ線に対して垂直であるとともに中央の接触領域の中心を通る軸線に関して非軸対称である、請求項１〜４のいずれか一項に記載の使い捨て粘着性基板。
【請求項６】
前記基板の前記外周輪郭が、前記基板と前記医療機器が１対１の取付け関係を有するように、前記医療機器のスロット／溝と合致するように構成されている、請求項１〜５のいずれか一項に記載の使い捨て粘着性基板。
【請求項７】
前記基板の前記外周輪郭に、丸みを帯びた２つの切欠きをさらに含む、請求項１〜６のいずれか一項に記載の使い捨て粘着性基板。
【請求項８】
前記切欠きが、前記基板の前記外周輪郭に沿って非対称に配置されている、請求項７に記載の使い捨て粘着性基板。
【請求項９】
前記輪郭の前記切欠きが非対称なパルス波のような形状である、請求項７または８に記載の使い捨て粘着性基板。
【請求項１０】
前記切欠きの形状が、前記基板と前記医療機器が１対１の取付け関係を有するように、前記医療機器のスロット／溝と合致するように構成されている、請求項７〜９のいずれか一項に記載の使い捨て粘着性基板。
【請求項１１】
前記基板の前記外周輪郭が略Ｓ字形である、請求項１〜１０のいずれか一項に記載の使い捨て粘着性基板。
【請求項１２】
一定の三角関係で互いに配置された少なくとも３つの開口をさらに備える、請求項１〜１１のいずれか一項に記載の使い捨て粘着性基板。
【請求項１３】
前記接触領域の各々が、対応する開口を少なくとも部分的に取り囲んでいる、請求項１２に記載の使い捨て粘着性基板。
【請求項１４】
前記開口の位置および大きさが、前記医療機器の前記ＥＭＧ電極の位置および大きさと合致するように構成されている、請求項１２または１３に記載の使い捨て粘着性基板。
【請求項１５】
前記医療機器と前記使用者の前記皮膚との間に粘着性の結合を形成するように構成されており、前記ＥＭＧ電極と前記使用者の前記皮膚との間に導電性接続を形成するように構成されている、請求項１〜１４のいずれか一項に記載の使い捨て粘着性基板。
【請求項１６】
前記基板が可撓性および／または湾曲可能である、請求項１〜１５のいずれか一項に記載の使い捨て粘着性基板。
【国際調査報告】
2018526051.tif 000030
2018526051.tif 000031